(57)【要約】【課題】長さを調節でき且つ高強度のボトムを有する電動ベッドを提供する。【解決手段】膝ボトムベース１２１及び膝アーム１２２を有する膝ボトム１２０と、足ボトムベース１３１及び足アーム１３２を有する足ボトム１３０と、膝ボトム１２０と足ボトム１３０とを連結するヒンジ１４０とを備え、膝アーム１２２及び足アーム１３２の各々は、ベッド長さ方向に延在する一対のサイドアーム部と、ベッド幅方向に延在しかつ一対のサイドアーム部の各々に連結されたリンクアーム部とを有し、膝アーム１２２の一対のサイドアーム部は膝ボトムベース１２１に接続され、足アーム１３２の一対のサイドアーム部は足ボトムベース１３１に接続され、膝アーム１２２のリンクアーム部と足アーム１３２のリンクアーム部とは対面して配置されかつヒンジ１４０によって連結されており、膝アーム１２２と足アーム１３２とは連動してベッド長さ方向に移動可能である。【選択図】図３
2015202139.tif 000002
【特許請求の範囲】
【請求項１】
複数のボトムを有する電動ベッドであって、
第１ボトムベース及び第１アームを有する第１ボトムと、
第２ボトムベース及び第２アームを有する第２ボトムと、
前記第１ボトムと前記第２ボトムとを連結するヒンジとを備え、
前記第１アーム及び前記第２アームの各々は、ベッド長さ方向に延在する一対のサイドアーム部と、ベッド幅方向に延在し、かつ、前記一対のサイドアーム部の各々に連結されたリンクアーム部とを有し、
前記第１アームの前記一対のサイドアーム部は、前記第１ボトムベースに接続されており、
前記第２アームの前記一対のサイドアーム部は、前記第２ボトムベースに接続されており、
前記第１アームの前記リンクアーム部と前記第２アームの前記リンクアーム部とは、対面して配置されており、かつ、前記ヒンジによって連結されており、
前記第１アームと前記第２アームとは、連動してベッド長さ方向に移動可能である
電動ベッド。
【請求項２】
前記第１アームは、前記第１ボトムベースに対して摺動し、
前記第２アームは、前記第２ボトムベースに対して摺動する
請求項１に記載の電動ベッド。
【請求項３】
前記第１ボトムと前記第２ボトムとを合わせたベッド長さ方向の長さは、前記第１アーム及び前記第２アームの移動前後において変化しない
請求項２に記載の電動ベッド。
【請求項４】
前記電動ベッドは、少なくとも背ボトムと膝ボトムと足ボトムとを有し、
前記第１ボトムは、前記膝ボトムであり、
前記第２ボトムは、前記足ボトムである
請求項１〜３のいずれか１項に記載の電動ベッド。
【請求項５】
前記第１ボトムベースは、一対の第１サイドフレームを有し、
前記第２ボトムベースは、一対の第２サイドフレームを有し、
前記第１アームの前記一対のサイドアーム部の各々は、前記一対の第１サイドフレームの各々に接続されており、
前記第２アームの前記一対のサイドアーム部の各々は、前記一対の第２サイドフレームの各々に接続されている
請求項１〜４のいずれか１項に記載の電動ベッド。
【請求項６】
前記第１アームの前記一対のサイドアーム部の各々は、ベッド長さ方向に配列された複数の第１アーム穴を有し、
前記第２アームの前記一対のサイドアーム部の各々は、ベッド長さ方向に配列された複数の第２アーム穴を有し、
前記一対の第１サイドフレームの各々は、第１フレーム穴を有し、
前記一対の第２サイドフレームの各々は、第２フレーム穴を有し、
さらに、
前記第１アーム穴と前記第１フレーム穴とに挿通された第１挿通部材と、
前記第２アーム穴と前記第２フレーム穴とに挿通された第２挿通部材とを備える
請求項５に記載の電動ベッド。
【請求項７】
前記第１アーム穴は、前記第１アームの前記一対のサイドアーム部の各々の側面に設けられており、
前記第２アーム穴は、前記第２アームの前記一対のサイドアーム部の各々の側面に設けられており、
前記第１フレーム穴は、前記一対の第１サイドフレームの各々の側面に設けられており、
前記第２フレーム穴は、前記一対の第２サイドフレームの各々の側面に設けられている
請求項６に記載の電動ベッド。
【請求項８】
前記第１ボトムベース及び前記第２ボトムベースは、板状の支持台を有し、
前記第１ボトムは、さらに、第１板状部材を有し、
前記第２ボトムは、さらに、第２板状部材を有し、
前記第１板状部材は、前記第１アームの前記リンクアーム部に接続され、かつ、前記第１ボトムベースの上面の少なくとも一部に接触しており、
前記第２板状部材は、前記第２アームの前記リンクアーム部に接続され、かつ、前記第２ボトムベースの上面の少なくとも一部に接触しており、
前記第１板状部材及び前記第２板状部材は、前記第１アーム及び前記第２アームと連動してベッド長さ方向に移動する
請求項１〜４のいずれか１項に記載の電動ベッド。
【請求項９】
前記第１板状部材は、ベッド長さ方向に配列された複数の第１穴を有し、
前記第１ボトムベースは、第１ベース穴を有し、
さらに、前記第１穴と前記第１ベース穴とに挿通された第１挿通部材を有する
請求項８に記載の電動ベッド。
【請求項１０】
前記第２板状部材は、ベッド長さ方向に配列された複数の第２穴を有し、
前記第２ボトムベースは、第２ベース穴を有し、
さらに、前記第２穴と前記第２ベース穴とに挿通された第２挿通部材を有する
請求項９に記載の電動ベッド。
【請求項１１】
前記第２ボトムは、さらに、前記第２アームに対して回動可能に当該第２アームに連結された連結バーを有し、
前記第２ボトムベースは、前記連結バーをベッド長さ方向に複数段で収納する溝部を有する
請求項８に記載の電動ベッド。
【請求項１２】
前記連結バーは、ベッド長さ方向であって前記第１ボトムとは反対側の方向に延在する一対の第１ロッド部と、前記一対の第１ロッド部を連結する第２ロッド部とを有する
請求項１１に記載の電動ベッド。
【請求項１３】
前記一対の第１ロッド部は、前記第２アームの前記リンクアーム部に対して回動可能に当該リンクアーム部に連結されている
請求項１１又は１２に記載の電動ベッド。
【請求項１４】
前記第１アームの前記一対のサイドアーム部の各々には、ベッド長さ方向に配列された複数の第１アーム穴が設けられており、
前記第１ボトムベースの両サイド部の各々には、一対の第１ベース穴が設けられており、
さらに、前記第１アーム穴と前記第１ベース穴とに挿通された挿通部材を有する
請求項１１〜１３のいずれか１項に記載の電動ベッド。
【請求項１５】
前記第１ボトムベースにおける前記第１板状部材との接触部分には、当該第１板状部材が載置される凹部が設けられており、
前記第２ボトムベースにおける前記第２板状部材との接触部分には、当該第２板状部材が載置される凹部が設けられている
請求項８〜１４のいずれか１項に記載の電動ベッド。
【請求項１６】
前記ヒンジは、前記第１アームにおける前記リンクアーム部と前記一対のサイドアーム部との連結部分よりもベッド幅方向の内方に後退した位置に設けられている
請求項１〜１４のいずれか１項に記載の電動ベッド。
【発明の詳細な説明】
【技術分野】
【０００１】
本発明は、電動ベッドに関し、特に、複数のボトムによってギャッジ動作を行う電動ベッドに関する。
【背景技術】
【０００２】
近年、病院、介護施設又は家庭において、患者や要介護者等のユーザが利用するベッドとして電動ベッドが普及してきた。電動ベッドは、背上げ角度調整機能、膝上げ角度調整機能及び床高さ調整機能を有しており、モータ等のアクチュエータによって、ユーザを支持するボトム（床板）の姿勢やボトムの床からの高さが調整可能となっている。
【０００３】
この種の電動ベッドは、ボトムが複数に分割されており、例えば、背ボトム、膝ボトム及び足ボトムの複数のボトムを備えている。このような電動ベッドでは、各ボトムの連結部分を支点としてギャッジ動作を行うことによってユーザの起き上がり動作を補助する。
【０００４】
従来、ユーザの身長に合わせて最適なギャッジ動作が行えるように、ボトムの長さ（床板長）を調節することができる電動ベッドが提案されている（特許文献１）。
【先行技術文献】
【特許文献】
【０００５】
【特許文献１】特開２００１−２９９８２６号公報
【発明の概要】
【発明が解決しようとする課題】
【０００６】
しかしながら、特許文献１に開示された電動ベッドの構造では、ボトムの強度が小さく、ベッド全体としての機械的強度に劣るという課題がある。
【０００７】
本発明は、このような課題を解決するためになされたものであり、長さを調節でき且つ強度が大きいボトムを有する電動ベッドを提供することを目的とする。
【課題を解決するための手段】
【０００８】
上記目的を達成するために、本発明に係る電動ベッドの一態様は、複数のボトムを有する電動ベッドであって、第１ボトムベース及び第１アームを有する第１ボトムと、第２ボトムベース及び第２アームを有する第２ボトムと、前記第１ボトムと前記第２ボトムとを連結するヒンジとを備え、前記第１アーム及び前記第２アームの各々は、ベッド長さ方向に延在する一対のサイドアーム部と、ベッド幅方向に延在し、かつ、前記一対のサイドアーム部の各々に連結されたリンクアーム部とを有し、前記第１アームの前記一対のサイドアーム部は、前記第１ボトムベースに接続されており、前記第２アームの前記一対のサイドアーム部は、前記第２ボトムベースに接続されており、前記第１アームの前記リンクアーム部と前記第２アームの前記リンクアーム部とは、対面して配置されており、かつ、前記ヒンジによって連結されており、前記第１アームと前記第２アームとは、連動してベッド長さ方向に移動可能であることを特徴とする。
【発明の効果】
【０００９】
本発明によれば、長さを調節でき且つ強度が大きいボトムを有するので、機械的強度に優れた電動ベッドを実現することができる。
【図面の簡単な説明】
【００１０】
【図１】本発明の実施の形態１に係る電動ベッドの概略側面図である。
【図２】本発明の実施の形態１に係る電動ベッドの背上げのギャッジ動作を説明するための図である。
【図３】本発明の実施の形態１に係る電動ベッドにおける膝ボトム及び足ボトムの外観斜視図である。
【図４Ａ】本発明の実施の形態１に係る電動ベッドにおける膝ボトム及び足ボトムの第１の状態を示す図である。
【図４Ｂ】本発明の実施の形態１に係る電動ベッドにおける膝ボトム及び足ボトムの第２の状態を示す図である。
【図４Ｃ】本発明の実施の形態１に係る電動ベッドにおける膝ボトム及び足ボトムの第３の状態を示す図である。
【図５Ａ】本発明の実施の形態１に係る電動ベッドにおいて、膝ボトム及び足ボトムが第１の状態の場合に背上げのギャッジ動作を行った時の様子を示す図である。
【図５Ｂ】本発明の実施の形態１に係る電動ベッドにおいて、膝ボトム及び足ボトムが第２の状態の場合に背上げのギャッジ動作を行った時の様子を示す図である。
【図５Ｃ】本発明の実施の形態１に係る電動ベッドにおいて、膝ボトム及び足ボトムが第３の状態の場合に背上げのギャッジ動作を行った時の様子を示す図である。
【図６】本発明の実施の形態２に係る電動ベッドにおける膝ボトム及び足ボトムの外観斜視図である。
【図７】本発明の実施の形態２に係る電動ベッドにおける膝ボトム及び足ボトムの平面図である。
【図８Ａ】本発明の実施の形態２に係る電動ベッドにおける膝ボトム及び足ボトムの第１の状態を示す図である。
【図８Ｂ】本発明の実施の形態２に係る電動ベッドにおける膝ボトム及び足ボトムの第２の状態を示す図である。
【図８Ｃ】本発明の実施の形態２に係る電動ベッドにおける膝ボトム及び足ボトムの第３の状態を示す図である。
【図９】本発明の実施の形態３に係る電動ベッドにおける膝ボトム及び足ボトムの外観斜視図である。
【図１０】本発明の実施の形態３に係る電動ベッドにおける膝ボトム及び足ボトムの平面図である。
【図１１】本発明の実施の形態３に係る電動ベッドにおける連結バーを回動させたときの状態を示す図である。
【図１２Ａ】本発明の実施の形態３に係る電動ベッドにおける膝ボトム及び足ボトムの第１の状態を示す図である。
【図１２Ｂ】本発明の実施の形態３に係る電動ベッドにおける膝ボトム及び足ボトムの第２の状態を示す図である。
【図１２Ｃ】本発明の実施の形態３に係る電動ベッドにおける膝ボトム及び足ボトムの第３の状態を示す図である。
【図１３】本発明の実施の形態３に係る電動ベッドにおけるギャッジ動作時の膝ボトム及び足ボトム（第１の状態）を示す図である。
【図１４】本発明の変形例に係る電動ベッドの概略側面図である。
【発明を実施するための形態】
【００１１】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態１）
まず、本発明の実施の形態１に係る電動ベッド１の全体構成について、図１を用いて説明する。図１は、本発明の実施の形態１に係る電動ベッドの概略側面図である。
【００１４】
本実施の形態に係る電動ベッド１は、病院、介護施設又は家庭において、患者や要介護者等のユーザが使用するベッドであって、図１に示すように、ユーザ（人体）を支持するボトム１００と、ボトム１００の姿勢及び高さを調節する調節機構１０１と、ベッドフレーム１０２と、調節機構１０１に動作指令を与えるためのリモコン等の操作部（不図示）とを備える。なお、ボトム１００の上には、マットレス１０３が配置されている。
【００１５】
ボトム１００は、複数に分割されており、互いにヒンジ（蝶番）等で回動可能に順次連結された複数の部位（ボトム）からなる。図１に示すように、ボトム１００は、例えば３つに分割されており、背ボトム１１０と、膝ボトム１２０と、足ボトム（脚ボトム）１３０とを有する。
【００１６】
背ボトム１１０は、ユーザの背中部分に対応する位置に配置される。膝ボトム１２０は、ユーザの大腿部分に対応する位置に配置される。足ボトム１３０は、ユーザの下腿部分に対応する位置に配置される。
【００１７】
調節機構１０１は、操作部から送られてくる動作指令に従ってボトム１００の姿勢及び高さを調節する機構である。この調節機構１０１は、制御回路と、その制御回路による制御の下で動作する電動アクチュエータ（モータ等）と、電動アクチュエータによって可動するリンク機構（背上げリンク機構、膝上げリンク機構等）とを備える。
【００１８】
ベッドフレーム１０２は、例えば、ボトム１００を支持するメインフレームと、ベッドを使用するユーザの頭側に設けられたヘッドボードと、そのユーザの足側に設けられたフットボードとを備える。
【００１９】
マットレス１０３は、電動ベッド１のボトム１００の上に敷かれる寝具である。マットレス１０３は、ベッド用マットレスであり、スプリングマットレスやウレタンマットレス等を用いることができる。
【００２０】
このように構成される電動ベッド１では、背ボトム１１０、膝ボトム１２０及び足ボトム１３０の各ボトムの連結部分（ヒンジ）を支点としてギャッジ動作を行うことによって、ベッドを使用するユーザの起き上がり動作を補助することができる。本実施の形態では、背上げに膝上げを連動させてユーザの起き上がり動作を補助している。
【００２１】
ここで、電動ベッド１のギャッジ動作について、図２を用いて説明する。図２は、本発明の実施の形態１に係る電動ベッドの背上げのギャッジ動作を説明するための図である。
【００２２】
図２（ａ）に示すように、背ボトム１１０と膝ボトム１２０と足ボトム１３０とが水平状態のボトム１００にユーザが寝ているときに、ボトム１００の背上げを行うための操作ボタンを押下すると、調節機構１０１（図１参照）の膝上げリンク機構が動作して、図２（ｂ）に示すように、膝ボトム１２０と足ボトム１３０とが起き上がるように傾斜する。
【００２３】
次いで、膝ボトム１２０及び足ボトム１３０の傾斜動作中に、調節機構１０１（図１参照）の背上げリンク機構が動作して、図２（ｃ）に示すように、背ボトム１１０が起き上がるように傾斜する。その後、膝ボトム１２０及び足ボトム１３０は、最大膝上げ位置まで起き上がっていくと同時に、背ボトム１１０も最大背上げ位置まで起き上がっていく。これにより、ボトム１００の背上げが完了する。
【００２４】
なお、ボトム１００に載置されるマットレス１０３は、背ボトム１１０、膝ボトム１２０及び足ボトム１３０の姿勢変形と連動して屈曲する。また、ボトム１００の背下げのギャッジ動作は、例えば、背上げの逆の動きで行われる。
【００２５】
次に、本実施の形態１に係る電動ベッド１の特徴的な構造について、図３を用いて説明する。図３は、本発明の実施の形態１に係る電動ベッドにおける膝ボトム及び足ボトムの外観斜視図である。
【００２６】
図３に示すように、第１ボトムである膝ボトム１２０は、第１ボトムベースである膝ボトムベース１２１及び第１アームである膝アーム１２２を有する。
【００２７】
膝ボトムベース１２１は、平面視形状が略Ｕ字状又は略コ字状のボトムフレーム部１２１ａと、ボトムフレーム部１２１ａの両端部に連結されたリンクフレーム部１２１ｂと、ボトムフレーム部１２１ａとリンクフレーム部１２１ｂとで囲まれた領域に格子状に設けられた金属線１２１ｃとを有している。ボトムフレーム部１２１ａ及びリンクフレーム部１２１ｂは、例えば、断面形状が矩形の金属管である。
【００２８】
ボトムフレーム部１２１ａは、互いに対向する一対のサイドフレーム（第１サイドフレーム）１２１ａ１を有している。さらに、ボトムフレーム部１２１ａは、ボルト穴１２１ａ２（第１フレーム穴）を有する。本実施の形態において、ボルト穴１２１ａ２は、一対のサイドフレーム１２１ａ１の各々に設けられている。具体的に、ボルト穴１２１ａ２は、一対のサイドフレーム１２１ａ１の各々の外側面を貫通するように設けられている。
【００２９】
本実施の形態において、膝ボトムベース１２１のボトムフレーム部１２１ａ（サイドフレーム１２１ａ１）はレール部であって、その内部には、膝アーム１２２のサイドアーム部１２２ａを受ける支持ローラ（不図示）が設けられている。
【００３０】
膝アーム１２２は、ベッド長さ方向に延在する一対のサイドアーム部１２２ａと、ベッド幅方向に延在し、かつ、一対のサイドアーム部１２２ａの各々に連結されたリンクアーム部１２２ｂとを有する。本実施の形態において、膝アーム１２２の平面視形状は、略コの字状又は略Ｕ字状である。サイドアーム部１２２ａ及びリンクアーム部１２２ｂは、例えば、金属製又は樹脂製である。
【００３１】
膝アーム１２２の一対のサイドアーム部１２２ａは、膝ボトムベース１２１に接続されている。本実施の形態では、膝アーム１２２の一対のサイドアーム部１２２ａの各々は、膝ボトムベース１２１のボトムフレーム部１２１ａの両端部（一対のサイドフレーム１２１ａ１）の各々の開口から当該ボトムフレーム部１２１ａ（サイドフレーム１２１ａ１）内に挿入されて接続されている。
【００３２】
また、膝アーム１２２のサイドアーム部１２２ａは、膝ボトムベース１２１のボトムフレーム部１２１ａ（サイドフレーム１２１ａ１）に対して相対的にスライド可能となっている。具体的には、膝アーム１２２は、サイドアーム部１２２ａが膝ボトムベース１２１のボトムフレーム部１２１ａ（サイドフレーム１２１ａ１）に挿入された状態でスライドする。
【００３３】
なお、上述のとおり、ボトムベース１２１のボトムフレーム部１２１ａ（サイドフレーム１２１ａ１）の内部には支持ローラが設けられているので、膝アーム１２２のサイドアーム部１２２ａは、ボトムフレーム部１２１ａ（サイドフレーム１２１ａ１）内を滑らかにスライド移動する。
【００３４】
さらに、膝アーム１２２の一対のサイドアーム部１２２ａの各々は、ベッド長さ方向に配列された複数のボルト穴１２２ａ１（第１アーム穴）を有する。複数のボルト穴１２２ａ１は、膝ボトム１２０のベッド長さ方向の長さを調整するための調整穴である。本実施の形態において、ボルト穴１２２ａ１は、一対のサイドアーム部１２２ａの各々の側面を貫通するように設けられている。例えば、５つのボルト穴１２２ａ１が直線状に等間隔で設けられている。
【００３５】
そして、膝ボトムベース１２１のボルト穴１２１ａ２と膝アーム１２２のボルト穴１２２ａ１とには、第１挿通部材としてボルト１２３が挿通されている。ボルト１２３によって、膝ボトムベース１２１と膝アーム１２２とが固定される。ボルト１２３は、例えばノブボルトである。
【００３６】
一方、第２ボトムである足ボトム１３０は、膝ボトム１２０と同様に、第２ボトムベースである足ボトムベース１３１及び第２アームである足アーム１３２を有する。
【００３７】
足ボトムベース１３１は、平面視形状が略Ｕ字状又は略コ字状のボトムフレーム部１３１ａと、ボトムフレーム部１３１ａの両端部に連結されたリンクフレーム部１３１ｂと、ボトムフレーム部１３１ａとリンクフレーム部１３１ｂとで囲まれた領域に格子状に設けられた金属線１３１ｃとを有している。ボトムフレーム部１３１ａ及びリンクフレーム部１３１ｂは、例えば、断面形状が矩形の金属管である。
【００３８】
ボトムフレーム部１３１ａは、互いに対向する一対のサイドフレーム（第２サイドフレーム）１３１ａ１を有している。さらに、ボトムフレーム部１３１ａは、ボルト穴１３１ａ２（第２フレーム穴）を有する。本実施の形態において、ボルト穴１３１ａ２は、一対のサイドフレーム１３１ａ１の各々に設けられている。具体的に、ボルト穴１３１ａ２は、一対のサイドフレーム１３１ａ１の各々の外側面を貫通するように設けられている。
【００３９】
本実施の形態において、足ボトムベース１３１のボトムフレーム部１３１ａ（サイドフレーム１３１ａ１）はレール部であって、その内部には、足アーム１３２のサイドアーム部１３２ａを受ける支持ローラ（不図示）が設けられている。
【００４０】
足アーム１３２は、ベッド長さ方向に延在する一対のサイドアーム部１３２ａと、ベッド幅方向に延在し、かつ、一対のサイドアーム部１３２ａの各々に連結されたリンクアーム部１３２ｂとを有する。本実施の形態において、足アーム１３２の平面視形状は、略コの字状又は略Ｕ字状である。また、サイドアーム部１３２ａ及びリンクアーム部１３２ｂは、例えば、金属製又は樹脂製である。
【００４１】
足アーム１３２の一対のサイドアーム部１３２ａは、足ボトムベース１３１に接続されている。本実施の形態では、足アーム１３２の一対のサイドアーム部１３２ａの各々は、足ボトムベース１３１のボトムフレーム部１３１ａの両端部（一対のサイドフレーム１３１ａ１）の各々の開口から当該ボトムフレーム部１３１ａ（サイドフレーム１３１ａ１）内に挿入されて接続されている。
【００４２】
また、足アーム１３２のサイドアーム部１３２ａは、足ボトムベース１３１のボトムフレーム部１３１ａ（サイドフレーム１３１ａ１）に対して相対的にスライド可能となっている。具体的には、足アーム１３２は、サイドアーム部１３２ａが足ボトムベース１３１のボトムフレーム部１３１ａ（サイドフレーム１３１ａ１）に挿入された状態でスライドする。
【００４３】
なお、上述のとおり、足ボトムベース１３１のボトムフレーム部１３１ａ（サイドフレーム１３１ａ１）の内部には支持ローラが設けられているので、足アーム１３２のサイドアーム部１３２ａは、ボトムフレーム部１３１ａ（サイドフレーム１３１ａ１）内を滑らかにスライド移動する。
【００４４】
さらに、足アーム１３２の一対のサイドアーム部１３２ａの各々は、ベッド長さ方向に配列された複数のボルト穴１３２ａ１（第２アーム穴）を有する。複数のボルト穴１３２ａ１は、膝ボトム１２０のベッド長さ方向の長さを調整するための調整穴である。本実施の形態において、ボルト穴１３２ａ１は、一対のサイドアーム部１３２ａの各々の側面を貫通するように設けられている。例えば、５つのボルト穴１３２ａ１が直線状に等間隔で設けられている。
【００４５】
そして、足ボトムベース１３１のボルト穴１３１ａ２と足アーム１３２のボルト穴１３２ａ１とには、第２挿通部材としてボルト１３３が挿通されている。ボルト１３３によって、足ボトムベース１３１と足アーム１３２とが固定される。ボルト１２３は、例えばノブボルトである。
【００４６】
本実施の形態において、膝ボトム１２０のベッド長さ方向の長さは、足ボトム１３０のベッド長さ方向の長さよりも短くなっている。また、膝アーム１２２のベッド長さ方向の長さは、足アーム１３２のベッド長さ方向の長さと同じである。つまり、膝ボトム１２０の膝ボトムベース１２１のベッド長さ方向の長さは、足ボトム１３０における足ボトムベース１３１のベッド長さ方向の長さよりも短い。
【００４７】
また、膝ボトム１２０と足ボトム１３０とは、２つのヒンジ１４０によって連結されている。具体的には、膝アーム１２２のリンクアーム部１２２ｂと足アーム１３２のリンクアーム部１３２ｂとは、対面して配置されており、かつ、ヒンジ１４０によって連結されている。本実施の形態において、膝アーム１２２及び足アーム１３２は、同形状及び同サイズの略コ字型アームであるので、膝アーム１２２及び足アーム１３２は、２つのコ字型アームの背（リンクアーム部）を対面させた配置となっている。
【００４８】
なお、各ヒンジ１４０は、膝アーム１２２（又は足アーム１３２）におけるリンクアーム部１２２ｂ（又は１３２ｂ）と一対のサイドアーム部１２２ａ（又は１３２ａ）との連結部分よりもベッド幅方向の内方に後退した位置に設けられている。
【００４９】
そして、膝アーム１２２と足アーム１３２とは、連動してベッド長さ方向（ユーザの頭から足又はその逆に向かう方向）に移動可能となっている。本実施の形態において、膝アーム１２２は膝ボトムベース１２１に対して摺動し、足アーム１３２は足ボトムベース１３１に対して摺動する。
【００５０】
具体的には、膝アーム１２２は、一対のサイドアーム部１２２ａの各々が膝ボトムベース１２１の両端部の各々の開口内をスライドする。同様に、足アーム１３２は、一対のサイドアーム部１３２ａの各々が足ボトムベース１３１の両端部の各々の開口内をスライドする。
【００５１】
次に、本実施の形態における電動ベッド１のボトムの長さ調整方法について、図４Ａ〜図４Ｃを用いて説明する。図４Ａ〜図４Ｃは、それぞれ、本発明の実施の形態１に係る電動ベッドにおける膝ボトム及び足ボトムの第１〜第３の状態を示す図である。
【００５２】
例えば電動ベッド１を利用するユーザの身長が通常の高さである場合（例えば通常の大人の背丈の場合）は、図４Ａに示すように、膝ボトム１２０及び足ボトム１３０の各々のベッド長さ方向の長さは、例えば初期設定として通常の長さとなっている（第１の状態）。
【００５３】
このとき、例えば、膝ボトムベース１２１のボルト穴１２１ａ２と膝アーム１２２の５つのボルト穴１２２ａ１のうちの中央のボルト穴１２２ａ１とが合うようにボルト１２３がネジ込み挿入されている。同様に、足ボトムベース１３１のボルト穴１３１ａ２と足アーム１３２の５つのボルト穴１３２ａ１のうちの中央のボルト穴１３２ａ１とが合うようにボルト１３３がネジ込み挿入されている。
【００５４】
一方、電動ベッド１を利用するユーザの身長が通常よりも低い場合（例えば小柄な大人の背丈又は子どもの背丈の場合）は、図４Ｂに示すように、膝ボトム１２０のベッド長さ方向の長さを通常（第１の状態）の長さよりも短くする（第２の状態）。
【００５５】
具体的には、ボルト１２３及び１３３を緩めて、膝ボトムベース１２１と膝アーム１２２の固定を解除するとともに足ボトムベース１３１と足アーム１３２の固定を解除し、ヒンジ１４０で連結された膝アーム１２２及び足アーム１３２を膝ボトム１２０側（図４Ｂでは左側）の所定の位置までスライドさせる。これにより、ギャッジ動作の支点となるヒンジ１４０の位置を膝ボトム１２０側に移動させることができる。
【００５６】
例えば、膝アーム１２２の一対のサイドアーム部１２２ａの各々を、膝ボトムベース１２１のボトムフレーム部１２１ａの両端部（一対のサイドフレーム１２１ａ１）の各々の内部の奥に押し込むようにして膝アーム１２２及び足アーム１３２をスライドさせる。
【００５７】
このとき、膝ボトムベース１２１のボルト穴１２１ａ２に膝アーム１２２の所定のボルト穴１２２ａ１（例えば、最右端のボルト穴１２２ａ１）を合わせるように、かつ、足ボトムベース１３１のボルト穴１３１ａ２に足アーム１３２の所定のボルト穴１３２ａ１（例えば最右端のボルト穴１３２ａ１）を合わせるように、膝アーム１２２及び足アーム１３２をスライドさせる。
【００５８】
その後、ボルト１２３及び１３３を締めることで、膝ボトムベース１２１と膝アーム１２２とを固定するとともに足ボトムベース１３１と足アーム１３２とを固定する。
【００５９】
他方、電動ベッド１を利用するユーザの身長が通常よりも高い場合（例えば大柄な大人の背丈の場合）は、図４Ｃに示すように、膝ボトム１２０のベッド長さ方向の長さを通常（第１の状態）の長さよりも長くする（第３の状態）。
【００６０】
具体的には、ボルト１２３及び１３３を緩めて、膝ボトムベース１２１と膝アーム１２２の固定を解除するとともに足ボトムベース１３１と足アーム１３２の固定を解除し、ヒンジ１４０で連結された膝アーム１２２及び足アーム１３２を足ボトム１３０側（図４Ｃでは右側）の所定の位置までスライドさせる。これにより、ギャッジ動作の支点となるヒンジ１４０の位置を足ボトム１３０側に移動させることができる。
【００６１】
例えば、足アーム１３２の一対のサイドアーム部１３２ａの各々を、足ボトムベース１３１のボトムフレーム部１３１ａの両端部（一対のサイドフレーム１３１ａ１）の各々の内部の奥に押し込むようにして膝アーム１２２及び足アーム１３２をスライドさせる。
【００６２】
このとき、膝ボトムベース１２１のボルト穴１２１ａ２に膝アーム１２２の所定のボルト穴１２２ａ１（例えば、最左端のボルト穴１２２ａ１）を合わせるように、かつ、足ボトムベース１３１のボルト穴１３１ａ２に足アーム１３２の所定のボルト穴１３２ａ１（例えば最左端のボルト穴１３２ａ１）を合わせるように、膝アーム１２２及び足アーム１３２をスライドさせる。
【００６３】
その後、ボルト１２３及び１３３を締めることで、膝ボトムベース１２１と膝アーム１２２とを固定するとともに足ボトムベース１３１と足アーム１３２とを固定する。
【００６４】
以上のとおり、図４Ａ〜図４Ｃに示すような長さ調整方法によって、膝ボトム１２０のベッド長さ方向の長さを通常（第１の状態）の長さよりも長くした状態（第２の状態）にしたり、通常（第１の状態）の長さよりも短くした状態（第３の状態）にしたりすることができる。
【００６５】
また、本実施の形態では、図４Ａ〜図４Ｃに示すように、膝ボトム１２０と足ボトム１３０とを合わせたベッド長さ方向の長さＬは、膝アーム１２２及び足アーム１３２のスライド前後において変化しない構造となっている。
【００６６】
したがって、図４Ｂに示すように、膝ボトム１２０のベッド長さ方向の長さを短くすることで足ボトム１３０のベッド長さ方向の長さが長くなり、一方、図４Ｃに示すように、膝ボトム１２０のベッド長さ方向の長さを長くすることで足ボトム１３０のベッド長さ方向の長さが短くなる。
【００６７】
なお、図４Ａ〜図４Ｃでは、第１〜第３の３つの状態を示したが、本実施の形態では、膝アーム１２２及び足アーム１３２にはそれぞれ５つのボルト穴が設けられているので、５段階（５つの状態）で膝ボトム１２０の長さを調整することができる。
【００６８】
次に、本実施の形態における電動ベッド１の作用効果について、従来例の問題点を含めて説明する。図５Ａ〜図５Ｃは、本発明の実施の形態１に係る電動ベッドにおけるボトムの長さ調整後の使用例を示す図であり、それぞれ膝ボトム及び足ボトムが第１〜第３の状態の場合に背上げのギャッジ動作を行った時の様子を示す図である。
【００６９】
一般的に、電動ベッドのギャッジ動作を行う場合、ユーザは、ギャッジ動作の支点の１つとなる背ボトム及び膝ボトム部分の連結部分（ヒンジ）に大転子を合わせるようにして電動ベッドに横たわる。
【００７０】
この場合、従来の電動ベッドでは、膝ボトムのベッド長さ方向の長さが一定であって変化しないので、ユーザの身長によっては、ギャッジ動作の他の支点である膝ボトム及び足ボトムの連結部分（ヒンジ）に膝の位置が合わないことがある。つまり、身長差によってユーザの大腿の長さも異なるので、ユーザの膝の位置が膝ボトムと足ボトムとの屈曲位置に合わないことがある。
【００７１】
この結果、従来の電動ベッドでは、ユーザは、足の痛みを感じたり、身体のずれや圧迫感を感じたりするという問題がある。
【００７２】
例えば、身長の低いユーザの場合、大腿の長さが短いので、背ボトム及び膝ボトム部分の連結部分に大転子を合わせてギャッジ動作を行うと、膝ボトム及び足ボトムの連結部分にユーザの下腿が位置することとなり、ユーザは足に痛みを感じてしまう。逆に、身長の高いユーザの場合では、膝ボトム及び足ボトムの連結部分にユーザの大腿が位置することとなり、この場合もユーザは足に痛みを感じてしまう。
【００７３】
また、足が痛いからといって、膝ボトム及び足ボトムの連結部分に膝の位置を合わせるように尻の位置をずらすと、ユーザは、身体のずれによる不快感を感じたり、腹部に圧力がかかって圧迫感を感じたりする。さらに、身体のずれによって床ずれの原因になったりもする。
【００７４】
これに対して、本実施の形態における電動ベッド１では、ヒンジ１４０で連結された膝アーム１２２及び足アーム１３２が連動してベッド長さ方向に移動することができるので、ヒンジ１４０の位置を調整することができる。つまり、ギャッジ動作の支点の１つである膝ボトム１２０及び足ボトム１３０の連結部分をシフトさせることができる。これにより、ユーザの身長差に応じてヒンジ１４０の位置を調整することによって、膝ボトム１２０及び足ボトム１３０の連結部分の位置とユーザの膝の位置とを合わせることができる。したがって、ユーザの身長に合わせた最適なギャッジ動作を行うことができるので、ユーザは、足の痛みを感じたり身体ずれや圧迫感を感じたりすることがない。
【００７５】
例えば、電動ベッド１を利用するユーザの身長が通常の高さである場合であって、図４Ａに示すように膝ボトム１２０及び足ボトム１３０の各々のベッド長さ方向の長さが初期設定の長さで、膝ボトム１２０及び足ボトム１３０の連結部分（ヒンジ１４０）がユーザの膝の位置に合っている場合、ヒンジ１４０の位置を変更することなく、図５Ａに示すように、背上げのギャッジ動作を行う。
【００７６】
一方、電動ベッド１を利用するユーザの身長が通常よりも低い場合は、図４Ｂに示すように膝ボトム１２０のベッド長さ方向の長さを短くしてヒンジ１４０の位置をシフトさせることによって、ユーザの膝の位置に膝ボトム１２０及び足ボトム１３０の連結部分（ヒンジ１４０）の位置を合わせる。その後、図５Ｂに示すように、背上げのギャッジ動作を行う。
【００７７】
他方、電動ベッド１を利用するユーザの身長が通常よりも高い場合は、図４Ｃに示すように膝ボトム１２０のベッド長さ方向の長さを長くしてヒンジ１４０の位置をシフトさせることによって、ユーザの膝の位置に膝ボトム１２０及び足ボトム１３０の連結部分（ヒンジ１４０）の位置を合わせる。その後、図５Ｃに示すように、背上げのギャッジ動作を行う。
【００７８】
このように、本実施の形態における電動ベッド１では、ユーザの下腿の長さに合わせてボトムの長さを調整することができるので、ユーザは、足の痛みを感じたり身体ずれや圧迫感を感じたりすることがない。なお、本実施の形態では、膝ボトム１２０のベッド長さ方向の長さを短くすることで足ボトム１３０のベッド長さ方向の長さが長くなったり（図４Ｂ、図５Ｂ）、膝ボトム１２０のベッド長さ方向の長さを長くすることで足ボトム１３０のベッド長さ方向の長さが短くなったり（図４Ｃ、図５Ｃ）しているが、ユーザの身体への影響はない。
【００７９】
以上説明したように、電動ベッド１における膝ボトム１２０及び足ボトム１３０は、連動してベッド長さ方向に移動することができる膝アーム１２２及び足アーム１３２を有している。
【００８０】
これにより、膝アーム１２２及び足アーム１３２を連結するヒンジ１４０の位置をベッド長さ方向にシフトさせることができるので、ユーザの身長に合わせた最適なギャッジ動作を行うことができる。
【００８１】
しかも、膝アーム１２２は、コ字型アームであり、ベッド長さ方向に延在する一対のサイドアーム部１２２ａと、ベッド幅方向に延在し、かつ、一対のサイドアーム部１２２ａの各々に連結されたリンクアーム部１２２ｂとを有しており、さらに、一対のサイドアーム部１２２ａは、膝ボトムベース１２１に接続されている。
【００８２】
同様に、膝アーム１２２も、コ字型アームであり、ベッド長さ方向に延在する一対のサイドアーム部１３２ａと、ベッド幅方向に延在し、かつ、一対のサイドアーム部１３２ａの各々に連結されたリンクアーム部１３２ｂとを有しており、さらに、一対のサイドアーム部１３２ａは、足ボトムベース１３１に接続されている。
【００８３】
膝アーム１２２及び足アーム１３２をこのような構成とすることによって、膝アーム１２２及び足アーム１３２を高強度の構造体とすることができる。これにより、膝ボトム１２０及び足ボトム１３０の全体の強度を大きくすることができる。
【００８４】
以上、本実施の形態に係る電動ベッド１によれば、長さを調節でき且つ強度が大きいボトムを有するので、機械的強度に優れた電動ベッドを実現することができる。
【００８５】
また、本実施の形態において、膝アーム１２２及び足アーム１３２を膝ボトムベース１２１及び足ボトムベース１３１に対して摺動させることで、膝アーム１２２と足アーム１３２とを移動させている。
【００８６】
これにより、膝アーム１２２と足アーム１３２とをベッド長さ方向に容易にスライド移動させることができる。
【００８７】
また、本実施の形態において、膝ボトム１２０と足ボトム１３０とを合わせたベッド長さ方向の長さは、膝アーム１２２及び足アーム１３２の移動前後において変化しない。
【００８８】
マットレス１０３の長さは通常変化しないので、膝アーム１２２及び足アーム１３２の移動によってボトム１００全体の長さが短くなると、ギャッジ動作時にユーザに違和感を与える可能性がある。また、膝アーム１２２及び足アーム１３２の移動によってボトム１００全体の長さが長くなると、足ボトム１３０がフットボードに当たってしまう可能性がある。
【００８９】
そこで、上記のように、膝ボトム１２０と足ボトム１３０とを合わせたベッド長さ方向の長さが膝アーム１２２及び足アーム１３２の移動前後において変化しない構造としている。これにより、ボトム１００全体のベッド長さ方向の長さが変化しないので、ギャッジ動作時にユーザが違和感を感じることもないし、足ボトム１３０がフットボードに当たってしまうこともない。
【００９０】
（実施の形態２）
次に、本発明の実施の形態２に係る電動ベッドについて、図６及び図７を用いて説明する。図６及び図７は、本発明の実施の形態２に係る電動ベッドにおける膝ボトム及び足ボトムの外観斜視図及び平面図である。
【００９１】
本実施の形態における膝ボトム２２０及び足ボトム２３０は、実施の形態１における膝ボトム１２０及び足ボトム１３０と同様に、ヒンジ１４０で連結された膝アーム２２２と足アーム２３２とが連動してベッド長さ方向に移動可能となっているが、実施の形態１における膝ボトム１２０及び足ボトム１３０とは具体的な構造が異なる。なお、本実施の形態において、膝ボトム２２０及び足ボトム２３０以外の構成は、実施の形態１と同様の構成である。
【００９２】
図６及び図７に示すように、本実施の形態における膝ボトム２２０（第１ボトム）は、膝ボトムベース２２１（第１ボトムベース）と、膝アーム２２２（第１アーム）と、膝ボトム板２２３（第１板状部材）とを有する。
【００９３】
膝ボトムベース２２１は、床板部材であって、金属製又は樹脂製の板状の支持台である。膝ボトムベース２２１の両サイド部には、膝アーム２２２の一対のサイドアーム部２２２ａの各々がスライド挿入される囲繞空間領域であるレール部が設けられている。このレール部の内部には、膝アーム２２２のサイドアーム部２２２ａを受ける支持ローラ（不図示）が設けられている。
【００９４】
膝ボトムベース２２１には、ピン穴２２１ａ（第１ベース穴）が設けられている。ピン穴２２１ａは、例えば、膝ボトムベース２２１を貫通する貫通孔であり、膝ボトム板２２３のピン穴２２３ａと重なるように設けられている。
【００９５】
膝ボトムベース２２１における膝ボトム板２２３との接触部分には、膝ボトム板２２３の一部が載置される凹部２２１ｂが形成されている。ピン穴２２１ａは、凹部２２１ｂにおけるベッド幅方向の中央部に設けられている。
【００９６】
膝アーム２２２は、ベッド長さ方向に延在する一対のサイドアーム部２２２ａと、ベッド幅方向に延在し、かつ、一対のサイドアーム部２２２ａの各々に連結されたリンクアーム部２２２ｂとを有する。本実施の形態でも、膝アーム２２２の平面視形状は、略コの字状又は略Ｕ字状であり、サイドアーム部２２２ａ及びリンクアーム部２２２ｂは、例えば、金属製又は樹脂製である。
【００９７】
膝アーム２２２の一対のサイドアーム部２２２ａは、膝ボトムベース２２１に接続されている。本実施の形態では、膝アーム２２２の一対のサイドアーム部２２２ａの各々は、膝ボトムベース２２１の両端部の各々のレール部の開口から当該レール部内に挿入されて接続されている。
【００９８】
また、膝アーム２２２のサイドアーム部２２２ａは、膝ボトムベース２２１に対して相対的にスライド可能となっている。具体的には、膝アーム２２２は、サイドアーム部２２２ａが膝ボトムベース２２１のレール部に挿入された状態でスライドする。
【００９９】
膝ボトム板２２３は、膝アーム２２２のリンクアーム部２２２ｂに接続され、かつ、膝ボトムベース２２１の上面の少なくとも一部に接触している。つまり、膝ボトム板２２３は、膝アーム２２２と膝ボトムベース２２１とに跨がるように配置されており、膝ボトム２２０の補強板となっている。
【０１００】
また、膝ボトム板２２３のベッド長さ方向の一方端は膝アーム２２２に固定されているが、膝ボトム板２２３のベッド長さ方向の他方端は膝ボトムベース２２１に固定されていない。これにより、膝ボトム板２２３は、膝ボトムベース２２１の凹部２２１ｂの表面に接触した状態で、膝アーム２２２及び足アーム２３２と連動してベッド長さ方向に移動する。
【０１０１】
膝ボトム板２２３は、ベッド長さ方向に配列された複数のピン穴２２３ａ（第１穴）を有する。複数のピン穴２２３ａは、膝ボトム２２０のベッド長さ方向の長さを調整するための調整穴である。本実施の形態において、複数のピン穴２２３ａは、膝ボトム板２２３におけるベッド幅方向の中央部に設けられている。例えば、５つのピン穴２２３ａが直線状に等間隔で設けられている。このように、膝ボトム板２２３は、膝ボトム２２０のベッド長さ方向の長さを調整する調整板としても機能する。
【０１０２】
そして、膝ボトムベース２２１のピン穴２２１ａと膝ボトム板２２３のピン穴２２３ａとには、第１挿通部材としてピン２２４が挿通されている。ピン２２４は、位置決めピンであり、膝ボトムベース２２１及び膝ボトム板２２３の厚み方向に挿通される。ピン２２４をピン穴２２１ａとピン穴２２３ａとに挿通させることによって、膝ボトムベース２２１と膝アーム２２２との位置が決定される。ピン２２４は、例えば平頭ピンである。
【０１０３】
一方、本実施の形態における足ボトム２３０（第２ボトム）は、膝ボトム２２０と同様に、足ボトムベース２３１（第２ボトムベース）と、足アーム２３２（第２アーム）と、足ボトム板２３３（第２板状部材）とを有する。
【０１０４】
足ボトムベース２３１は、床板部材であって、金属製又は樹脂製の板状の支持台である。足ボトムベース２３１の両サイド部には、足アーム２３２の一対のサイドアーム部２３２ａの各々がスライド挿入される囲繞空間領域であるレール部が設けられている。このレール部の内部には、足アーム２３２のサイドアーム部２３２ａを受ける支持ローラ（不図示）が設けられている。
【０１０５】
足ボトムベース２３１には、ピン穴２３１ａ（第２ベース穴）が設けられている。ピン穴２３１ａは、例えば、足ボトムベース２３１を貫通する貫通孔であり、足ボトム板２３３のピン穴２３３ａと重なるように設けられている。
【０１０６】
足ボトムベース２３１における足ボトム板２３３との接触部分には、足ボトム板２３３の一部が載置される凹部２３１ｂが形成されている。ピン穴２３１ａは、凹部２３１ｂにおけるベッド幅方向の中央部に設けられている。
【０１０７】
足アーム２３２は、ベッド長さ方向に延在する一対のサイドアーム部２３２ａと、ベッド幅方向に延在し、かつ、一対のサイドアーム部２３２ａの各々に連結されたリンクアーム部２３２ｂとを有する。膝アーム２２２と同様に、足アーム２３２の平面視形状は、略コの字状又は略Ｕ字状であり、サイドアーム部２３２ａ及びリンクアーム部２３２ｂは、例えば、金属製又は樹脂製である。
【０１０８】
足アーム２３２の一対のサイドアーム部２３２ａは、足ボトムベース２３１に接続されている。本実施の形態では、足アーム２３２の一対のサイドアーム部２３２ａの各々は、足ボトムベース２３１の両端部の各々のレール部の開口から当該レール部内に挿入されて接続されている。
【０１０９】
また、足アーム２３２のサイドアーム部２３２ａは、足ボトムベース２３１に対して相対的にスライド可能となっている。具体的には、足アーム２３２は、サイドアーム部２３２ａが足ボトムベース２３１のレール部に挿入された状態でスライドする。
【０１１０】
足ボトム板２３３は、足アーム２３２のリンクアーム部２３２ｂに接続され、かつ、足ボトムベース２３１の上面の少なくとも一部に接触している。つまり、足ボトム板２３３は、足アーム２３２と足ボトムベース２３１とに跨がるように配置されており、足ボトム２３０の補強板となっている。
【０１１１】
また、足ボトム板２３３のベッド長さ方向の一方端は足アーム２３２に固定されているが、足ボトム板２３３のベッド長さ方向の他方端は足ボトムベース２３１に固定されていない。これにより、足ボトム板２３３は、足ボトムベース２３１の凹部２３１ｂの表面に接触した状態で、膝アーム２２２及び足アーム２３２と連動してベッド長さ方向に移動する。
【０１１２】
足ボトム板２３３は、ベッド長さ方向に配列された複数のピン穴２３３ａ（第２穴）を有する。複数のピン穴２３３ａは、膝ボトム２２０のベッド長さ方向の長さを調整するための調整穴である。本実施の形態において、複数のピン穴２３３ａは、足ボトム板２３３におけるベッド幅方向の中央部に設けられている。例えば、５つのピン穴２３３ａが直線状に等間隔で設けられている。
【０１１３】
そして、足ボトムベース２３１のピン穴２３１ａと膝ボトム板２２３のピン穴２２３ａとには、第２挿通部材としてピン２３４が挿通されている。ピン２３４は、位置決めピンであり、足ボトムベース２３１及び膝ボトム板２２３の厚み方向に挿通される。ピン２３４をピン穴２３１ａとピン穴２２３ａとに挿通させることによって、足ボトムベース２３１と足アーム２３２との位置が決定される。ピン２３４は、例えば平頭ピンである。
【０１１４】
本実施の形態でも、膝ボトム２２０のベッド長さ方向の長さは、足ボトム２３０のベッド長さ方向の長さよりも短くなっている。また、膝アーム２２２のベッド長さ方向の長さは、足アーム２３２のベッド長さ方向の長さと同じである。つまり、膝ボトム２２０の膝ボトムベース２２１のベッド長さ方向の長さは、足ボトム２３０における足ボトムベース２３１のベッド長さ方向の長さよりも短い。
【０１１５】
また、膝ボトム２２０と足ボトム２３０とは、実施の形態１と同様に、２つのヒンジ１４０によって連結されている。具体的には、膝アーム２２２のリンクアーム部２２２ｂと足アーム２３２のリンクアーム部２３２ｂとは、対面して配置されており、かつ、ヒンジ１４０によって連結されている。本実施の形態でも、膝アーム２２２及び足アーム２３２は、同形状及び同サイズの略コ字型アームであるので、膝アーム２２２及び足アーム２３２は、２つのコ字型アームの背（リンクアーム部）を対面させた配置となっている。
【０１１６】
そして、膝アーム２２２と足アーム２３２とは、連動してベッド長さ方向に移動可能となっている。本実施の形態では、膝アーム２２２及び膝ボトム板２２３は膝ボトムベース２２１に対して摺動し、足アーム２３２及び足ボトム板２３３は足ボトムベース２３１に対して摺動する。
【０１１７】
具体的には、膝アーム２２２は、一対のサイドアーム部２２２ａの各々が膝ボトムベース２２１の両サイド部の各々のレール部内をスライドする。同様に、足アーム２３２は、一対のサイドアーム部２３２ａの各々が足ボトムベース２３１の両サイド部の各々のレール部内をスライドする。
【０１１８】
なお、本実施の形態において、膝ボトムベース２２１及び足ボトムベース２３１には、複数の長円貫通孔がベッド幅方向に沿って設けられている。これにより、膝ボトムベース２２１及び足ボトムベース２３１の通気性を向上させることができる。
【０１１９】
また、膝ボトム板２２３及び足ボトム板２３３にも、複数の長円貫通孔がベッド幅方向に沿って２列で設けられている。これにより、膝ボトム板２２３及び足ボトム板２３３の通気性を向上させることができる。
【０１２０】
また、膝ボトム板２２３及び足ボトム板２３３は、ベッド幅方向に延在するような一枚の板形状であるが、これに限らない。例えば、膝ボトム板２２３及び足ボトム板２３３は、ベッド幅方向に複数に分割されて延在していてもよい。
【０１２１】
また、本実施の形態では、膝ボトム２２０及び足ボトム２３０の両方に、位置決めピンとしてピン２２４及び２３４を設けたが、位置決めピンは、膝ボトム２２０及び足ボトム２３０のいずれか一方のみに設けてもよい。
【０１２２】
次に、本実施の形態における電動ベッドのボトムの長さ調整方法について、図８Ａ〜図８Ｃを用いて説明する。図８Ａ〜図８Ｃは、それぞれ、本発明の実施の形態２に係る電動ベッドにおける膝ボトム及び足ボトムの第１〜第３の状態を示す図である。
【０１２３】
例えば電動ベッドを利用するユーザの身長が通常の高さである場合は、図８Ａに示すように、膝ボトム２２０及び足ボトム２３０の各々のベッド長さ方向の長さは、例えば初期設定として通常の長さとなっている（第１の状態）。
【０１２４】
このとき、例えば、膝ボトムベース２２１のピン穴２２１ａと膝ボトム板２２３の５つのピン穴２３３ａのうちの中央のピン穴２３３ａとが合うようにピン２２４が挿通されている。同様に、足ボトムベース２３１のピン穴２３１ａと足ボトム板２３３の５つのピン穴２３３ａのうちの中央のピン穴２３３ａとが合うようにピン２３４が挿通されている。
【０１２５】
一方、電動ベッドを利用するユーザの身長が通常よりも低い場合は、図８Ｂに示すように、膝ボトム２２０のベッド長さ方向の長さを通常（第１の状態）の長さよりも短くする（第２の状態）。
【０１２６】
具体的には、ピン２２４及び２３４を抜き出して、膝ボトムベース２２１と膝アーム２２２及び膝ボトム板２２３との固定を解除するとともに足ボトムベース２３１と足アーム２３２及び足ボトム板２３３との固定を解除し、ヒンジ１４０で連結された膝アーム２２２及び足アーム２３２を、膝ボトム板２２３及び足ボトム板２３３とともに、膝ボトム２２０側（図８Ｂでは左側）の所定の位置までスライドさせる。これにより、ギャッジ動作の支点となるヒンジ１４０の位置を膝ボトム２２０側に移動させることができる。
【０１２７】
例えば、膝アーム２２２の一対のサイドアーム部２２２ａの各々を、膝ボトムベース２２１の両サイド部のレール部の各々の内部の奥に押し込むようにして膝アーム２２２及び足アーム２３２をスライドさせる。
【０１２８】
このとき、膝ボトムベース２２１のピン穴２２１ａに膝ボトム板２２３の所定のピン穴２２３ａ（例えば、最右端のピン穴２２３ａ）を合わせるように、かつ、足ボトムベース２３１のピン穴２３１ａに足ボトム板２３３の所定のピン穴２３３ａ（例えば最右端のピン穴２３３ａ）を合わせるように、膝アーム２２２及び足アーム２３２とともに膝ボトム板２２３及び足ボトム板２３３をスライドさせる。
【０１２９】
その後、ピン穴２２１ａとピン穴２２３ａとにピン２２４を再び差し込むとともにピン穴２３１ａとピン穴２３３ａとにピン２３４を再び差し込むことで、膝ボトムベース２２１と膝アーム２２２及び膝ボトム板２２３とを固定するとともに足ボトムベース２３１と足アーム２３２及び膝ボトム板２２３とを固定する。
【０１３０】
他方、電動ベッドを利用するユーザの身長が通常よりも高い場合は、図８Ｃに示すように、膝ボトム２２０のベッド長さ方向の長さを通常（第１の状態）の長さよりも長くする（第３の状態）。
【０１３１】
具体的には、ピン２２４及び２３４を抜き出して、膝ボトムベース２２１と膝アーム２２２及び膝ボトム板２２３との固定を解除するとともに足ボトムベース２３１と足アーム２３２及び足ボトム板２３３との固定を解除し、ヒンジ１４０で連結された膝アーム２２２及び足アーム２３２を、膝ボトム板２２３及び足ボトム板２３３とともに、足ボトム２３０側（図８Ｃでは右側）の所定の位置までスライドさせる。これにより、ギャッジ動作の支点となるヒンジ１４０の位置を足ボトム２３０側に移動させることができる。
【０１３２】
例えば、足アーム２３２の一対のサイドアーム部２３２ａの各々を、足ボトムベース２３１の両サイド部のレール部の各々の内部の奥に押し込むようにして足アーム２３２及び足アーム２３２をスライドさせる。
【０１３３】
このとき、膝ボトムベース２２１のピン穴２２１ａに膝ボトム板２２３の所定のピン穴２２３ａ（例えば、最右端のピン穴２２３ａ）を合わせるように、かつ、足ボトムベース２３１のピン穴２３１ａに足ボトム板２３３の所定のピン穴２３３ａ（例えば最左端のピン穴２３３ａ）を合わせるように、膝アーム２２２及び足アーム２３２とともに膝ボトム板２２３及び足ボトム板２３３をスライドさせる。
【０１３４】
その後、ピン穴２２１ａとピン穴２２３ａとにピン２２４を再び差し込むとともにピン穴２３１ａとピン穴２３３ａとにピン２３４を再び差し込むことで、膝ボトムベース２２１と膝アーム２２２及び膝ボトム板２２３とを固定するとともに足ボトムベース２３１と足アーム２３２及び膝ボトム板２２３とを固定する。
【０１３５】
以上のとおり、図８Ａ〜図８Ｃに示すような長さ調整方法によって、膝ボトム２２０のベッド長さ方向の長さを通常（第１の状態）の長さよりも長くした状態（第２の状態）にしたり、通常（第１の状態）の長さよりも短くした状態（第３の状態）にしたりすることができる。
【０１３６】
また、本実施の形態でも、図８Ａ〜図８Ｃに示すように、膝ボトム２２０と足ボトム２３０とを合わせたベッド長さ方向の長さＬは、膝アーム２２２及び足アーム２３２のスライド前後において変化しない構造となっている。
【０１３７】
このように構成される本実施の形態における電動ベッドでは、実施の形態１と同様の方法で、背上げ及び背下げのギャッジ動作を行うことができる。
【０１３８】
なお、図８Ａ〜図８Ｃでは、第１〜第３の３つの状態を示したが、本実施の形態では、膝ボトム板２２３及び足ボトム板２３３にはそれぞれ５つのピン穴が設けられているので、５段階（５つの状態）で膝ボトム２２０の長さを調整することができる。
【０１３９】
以上説明したように、本実施の形態における電動ベッドでも、ヒンジ１４０で連結された膝アーム２２２及び足アーム２３２が連動してベッド長さ方向に移動することができるので、ヒンジ１４０の位置を調整することができる。これにより、ユーザの身長差に応じてヒンジ１４０の位置を調整することによって、膝ボトム２２０及び足ボトム２３０の連結部分の位置とユーザの膝の位置とを合わせることができる。したがって、ユーザの身長に合わせた最適なギャッジ動作を行うことができるので、ユーザは、足の痛みを感じたり身体ずれや圧迫感を感じたりすることがない。
【０１４０】
しかも、本実施の形態でも、膝アーム２２２は、コ字型アームであり、ベッド長さ方向に延在する一対のサイドアーム部２２２ａと、ベッド幅方向に延在し、かつ、一対のサイドアーム部２２２ａの各々に連結されたリンクアーム部２２２ｂとを有しており、さらに、一対のサイドアーム部２２２ａは、膝ボトムベース２２１に接続されている。
【０１４１】
同様に、膝アーム２２２も、コ字型アームであり、ベッド長さ方向に延在する一対のサイドアーム部２３２ａと、ベッド幅方向に延在し、かつ、一対のサイドアーム部２３２ａの各々に連結されたリンクアーム部２３２ｂとを有しており、さらに、一対のサイドアーム部２３２ａは、足ボトムベース２３１に接続されている。
【０１４２】
膝アーム２２２及び足アーム２３２をこのような構成とすることによって、膝アーム２２２及び足アーム２３２を高強度の構造体とすることができる。これにより、膝ボトム２２０及び足ボトム２３０の全体の強度を大きくすることができる。
【０１４３】
さらに、本実施の形態では、膝ボトム板２２３及び足ボトム板２３３が設けられている。これにより、膝ボトム２２０及び足ボトム２３０の全体の強度を一層大きくすることができる。
【０１４４】
以上、本実施の形態に係る電動ベッドによれば、長さを調節することができ且つ実施の形態１よりも強度が大きいボトムを有するので、さらに機械的強度に優れた電動ベッドを実現することができる。
【０１４５】
また、本実施の形態では、ピン２２４及び２３４を抜き差しするだけで、膝アーム２２２のベッド長さ方向の長さを調整することができる。これにより、特別な工具を用いることなく、介護者やユーザ等が簡単に膝アーム２２２の長さを調整できる。
【０１４６】
（実施の形態３）
次に、本発明の実施の形態３に係る電動ベッドについて、図９及び図１０を用いて説明する。図９及び図１０は、本発明の実施の形態３に係る電動ベッドにおける膝ボトム及び足ボトムの外観斜視図及び平面図である。
【０１４７】
本実施の形態における膝ボトム３２０及び足ボトム３３０は、実施の形態２における膝ボトム２２０及び足ボトム２３０と同様に、ヒンジ１４０で連結された膝アーム３２２と足アーム３３２とが連動してベッド長さ方向に移動可能となっているが、実施の形態１における膝ボトム１２０及び足ボトム１３０とは具体的な構造が異なる。なお、本実施の形態において、膝ボトム３２０及び足ボトム３３０以外の構成は、実施の形態１と同様の構成である。
【０１４８】
図９及び図１０に示すように、本実施の形態における膝ボトム３２０（第１ボトム）は、膝ボトムベース３２１（第１ボトムベース）と、膝アーム３２２（第１アーム）と、膝ボトム板３２３（第１板状部材）とを有する。
【０１４９】
膝ボトムベース３２１は、床板部材であって、金属製又は樹脂製の板状の支持台である。膝ボトムベース３２１の両サイド部には、膝アーム３２２の一対のサイドアーム部３２２ａの各々が摺動するレール部が設けられている。本実施の形態におけるレール部は、ベッド長さ方向に沿って形成され、かつ、膝ボトムベース３２１の厚みを薄くした薄肉部である。
【０１５０】
膝ボトムベース３２１の両サイド部の各々には、一対のピン穴３２１ａ（第１ベース穴）が設けられている。一対のピン穴３２１ａの各々は、膝アーム３２２におけるサイドアーム部３２２ａのピン穴３２２ａ１と重なるように設けられている。
【０１５１】
膝ボトムベース３２１における膝ボトム板３２３との接触部分には、膝ボトム板３２３の一部が載置される凹部３２１ｂが形成されている。
【０１５２】
膝アーム３２２は、ベッド長さ方向に延在する一対のサイドアーム部３２２ａと、ベッド幅方向に延在し、かつ、一対のサイドアーム部３２２ａの各々に連結されたリンクアーム部３２２ｂとを有する。本実施の形態でも、膝アーム３２２の平面視形状は、略コの字状又は略Ｕ字状であり、サイドアーム部３２２ａ及びリンクアーム部３２２ｂは、例えば、金属製又は樹脂製である。
【０１５３】
膝アーム３２２の一対のサイドアーム部３２２ａは、膝ボトムベース３２１に接続されている。本実施の形態において、一対のサイドアーム部３２２ａの各々は、断面コ字形状であり、膝ボトムベース３２１の両端部の各々のレール部を側方から挟み込むように接続されている。
【０１５４】
また、膝アーム３２２のサイドアーム部３２２ａは、膝ボトムベース３２１に対して相対的にスライド可能となっている。具体的には、膝アーム３２２は、サイドアーム部３２２ａが膝ボトムベース３２１のレール部を挟み込んだ状態でスライドする。
【０１５５】
膝アーム３２２の一対のサイドアーム部３２２ａの各々には、ベッド長さ方向に配列された複数のピン穴３２２ａ１（第１アーム穴）が設けられている。複数のピン穴３２２ａ１は、膝ボトム１２０のベッド長さ方向の長さを調整するための調整穴である。本実施の形態において、ピン穴３２２ａ１は、一対のサイドアーム部３２２ａの上面を貫通するように設けられている。例えば、５つのピン穴３２２ａ１が直線状に等間隔で設けられている。
【０１５６】
そして、膝ボトムベース３２１のピン穴３２１ａと膝アーム３２２のピン穴３２２ａ１とには、挿通部材としてピン３２４が挿通されている。ピン３２４は、位置決めピンであり、膝ボトムベース３２１の厚み方向に挿通される。ピン３２４をピン穴３２１ａとピン穴３２２ａ１とに挿通させることによって、膝ボトムベース３２１と膝アーム３２２との位置が決定される。ピン３２４は、例えば平頭ピンである。
【０１５７】
本実施の形態において、膝ボトム板３２３は、複数枚設けられている。各膝ボトム板３２３は、膝アーム３２２のリンクアーム部３２２ｂに接続され、かつ、膝ボトムベース３２１の上面の少なくとも一部に接触している。つまり、各膝ボトム板３２３は、膝アーム３２２と膝ボトムベース３２１とに跨がるように配置されており、膝ボトム３２０の補強板となっている。
【０１５８】
また、各膝ボトム板３２３のベッド長さ方向の一方端は膝アーム３２２に固定されているが、各膝ボトム板３２３のベッド長さ方向の他方端は膝ボトムベース３２１に固定されていない。これにより、膝ボトム板３２３は、膝ボトムベース３２１の凹部３２１ｂの表面に接触した状態で、膝アーム３２２及び足アーム３３２と連動してベッド長さ方向に移動する。
【０１５９】
一方、本実施の形態における足ボトム３３０（第２ボトム）は、膝ボトム３２０と同様に、足ボトムベース３３１（第２ボトムベース）と、足アーム３３２（第２アーム）と、足ボトム板３３３（第２板状部材）とを有する。さらに、足ボトム３３０は、足アーム３３２に対して回動可能に当該足アーム３３２に連結された連結バー３３４を有する。
【０１６０】
足ボトムベース３３１は、床板部材であって、金属製又は樹脂製の板状の支持台である。足ボトムベース３３１の両サイド部には、足アーム３３２の一対のサイドアーム部３３２ａの各々が摺動するレール部が設けられている。本実施の形態におけるレール部は、ベッド長さ方向に沿って形成され、かつ、足ボトムベース３３１の厚みを薄くした薄肉部である。
【０１６１】
足ボトムベース３３１における足ボトム板３３３との接触部分には、足ボトム板３３３の一部が載置される凹部３３１ｂが形成されている。
【０１６２】
また、足ボトムベース３３１には、連結バー３３４をベッド長さ方向に複数段で収納する溝部３３１ｃが設けられている。本実施の形態において、溝部３３１ｃは、膝アーム３２２のピン穴３２２ａ１と同数となる５段階で連結バー３３４を収納できるように形成されている。具体的には、溝部３３１ｃは、ベッド幅方向に沿って形成された５本の横溝と、当該横溝を挟むようにベッド長さ方向に沿って形成された一対の縦溝とを有する。
【０１６３】
足アーム３３２は、ベッド長さ方向に延在する一対のサイドアーム部３３２ａと、ベッド幅方向に延在し、かつ、一対のサイドアーム部３３２ａの各々に連結されたリンクアーム部３３２ｂとを有する。膝アーム３２２と同様に、足アーム３３２の平面視形状は、略コの字状又は略Ｕ字状であり、サイドアーム部３３２ａ及びリンクアーム部３３２ｂは、例えば、金属製又は樹脂製である。
【０１６４】
足アーム３３２の一対のサイドアーム部３３２ａは、足ボトムベース３３１に接続されている。本実施の形態において、一対のサイドアーム部３３２ａの各々は、断面コ字形状であり、足ボトムベース３３１の両端部の各々のレール部を側方から挟み込むように接続されている。
【０１６５】
また、足アーム３３２のサイドアーム部３３２ａは、足ボトムベース３３１に対して相対的にスライド可能となっている。具体的には、足アーム３３２は、サイドアーム部３３２ａが足ボトムベース３３１のレール部を挟み込んだ状態でスライドする。
【０１６６】
本実施の形態において、足ボトム板３３３は、複数枚設けられている。各足ボトム板３３３は、足アーム３３２のリンクアーム部３３２ｂに接続され、かつ、足ボトムベース３３１の上面の少なくとも一部に接触している。つまり、各足ボトム板３３３は、足アーム３３２と足ボトムベース３３１とに跨がるように配置されており、足ボトム３３０の補強板となっている。
【０１６７】
また、各足ボトム板３３３のベッド長さ方向の一方端は足アーム３３２に固定されているが、各足ボトム板３３３のベッド長さ方向の他方端は足ボトムベース３３１に固定されていない。これにより、足ボトム板３３３は、足ボトムベース３３１の凹部３３１ｂの表面に接触した状態で、膝アーム３２２及び足アーム３３２と連動してベッド長さ方向に移動する。
【０１６８】
連結バー３３４は、平面視形状が略Ｕ字状又は略コ字状であり、ベッド長さ方向であって足アーム３３２のリンクアーム部３３２ｂを起点に膝ボトム３２０とは反対側の方向（フットボード側の方向）に延在する一対の第１ロッド部３３４ａと、一対の第１ロッド部３３４ａを連結する第２ロッド部３３４ｂ（把持部）とを有する。
【０１６９】
連結バー３３４は、図１１に示すように、足アーム３３２に対して回動可能である。具体的には、一対の第１ロッド部３３４ａが、足アーム３３２のリンクアーム部３３２ｂに対して回動可能に当該リンクアーム部３３２ｂに連結されている。連結バー３３４は、例えば、金属製又は樹脂製である。
【０１７０】
本実施の形態でも、膝ボトム３２０のベッド長さ方向の長さは、足ボトム３３０のベッド長さ方向の長さよりも短くなっている。また、膝アーム３２２のベッド長さ方向の長さは、足アーム３３２のベッド長さ方向の長さと同じである。つまり、膝ボトム３２０の膝ボトムベース３２１のベッド長さ方向の長さは、足ボトム３３０における足ボトムベース３３１のベッド長さ方向の長さよりも短い。
【０１７１】
また、膝ボトム３２０と足ボトム３３０とは、実施の形態１、２と同様に、２つのヒンジ１４０によって連結されている。具体的には、膝アーム３２２のリンクアーム部３２２ｂと足アーム３３２のリンクアーム部３３２ｂとは、対面して配置されており、かつ、ヒンジ１４０によって連結されている。本実施の形態でも、膝アーム３２２及び足アーム３３２は、同形状及び同サイズの略コ字型アームであるので、膝アーム３２２及び足アーム３３２は、２つのコ字型アームの背（リンクアーム部）を対面させた配置となっている。
【０１７２】
そして、膝アーム３２２と足アーム３３２とは、連動してベッド長さ方向に移動可能となっている。本実施の形態では、膝アーム３２２及び膝ボトム板３２３は膝ボトムベース３２１に対して摺動し、足アーム３３２及び足ボトム板３３３は足ボトムベース３３１に対して摺動する。
【０１７３】
具体的には、膝アーム３２２は、一対のサイドアーム部３２２ａの各々が膝ボトムベース３２１の両サイド部の各々のレール部を挟み込むようにスライドする。同様に、足アーム３３２は、一対のサイドアーム部３３２ａの各々が足ボトムベース３３１の両サイド部の各々のレール部を挟み込むようにスライドする。
【０１７４】
なお、本実施の形態でも、膝ボトムベース３２１及び足ボトムベース３３１には、複数の長円貫通孔がベッド幅方向に沿って設けられている。また、膝ボトム板３２３及び足ボトム板３３３にも、複数の長円貫通孔がベッド幅方向に沿って２列で設けられている。
【０１７５】
また、膝ボトム板３２３及び足ボトム板３３３は、ベッド幅方向に複数に分割されて設けられているが、実施の形態２のように、ベッド幅方向に延在する一枚の板形状であってもよい。
【０１７６】
次に、本実施の形態における電動ベッドのボトムの長さ調整方法について、図１２Ａ〜図１２Ｃを用いて説明する。図１２Ａ〜図１２Ｃは、それぞれ、本発明の実施の形態３に係る電動ベッドにおける膝ボトム及び足ボトムの第１〜第３の状態を示す図である。なお、図１２Ａ〜図１２Ｃにおいて、（ａ）は平面図であり、（ｂ）は側面図である。また、（ｂ）では、連結バー３３４を持ち上げた状態を示している。
【０１７７】
例えば電動ベッドを利用するユーザの身長が通常の高さである場合は、図１２Ａに示すように、膝ボトム３２０及び足ボトム３３０の各々のベッド長さ方向の長さは、例えば初期設定として通常の長さとなっている（第１の状態）。
【０１７８】
このとき、例えば、膝ボトムベース３２１のピン穴３２１ａと膝アーム３２２の５つのピン３３２ａ１のうちの中央のピン穴３３２ａ１とが合うようにピン３２４が挿通されている。なお、本実施の形態では、足ボトムベース３３１と足アーム３３２とはピンで固定されていない。
【０１７９】
一方、電動ベッドを利用するユーザの身長が通常よりも低い場合は、図１２Ｂに示すように、膝ボトム３２０のベッド長さ方向の長さを通常（第１の状態）の長さよりも短くする（第２の状態）。
【０１８０】
具体的には、ピン３２４を抜き出して、膝ボトムベース３２１と膝アーム３２２との固定を解除し、ヒンジ１４０で連結された膝アーム３２２及び足アーム３３２を、膝ボトム板３２３及び足ボトム板３３３とともに、膝ボトム３２０側（図１２Ｂでは左側）の所定の位置までスライドさせる。これにより、ギャッジ動作の支点となるヒンジ１４０の位置を膝ボトム３２０側に移動させることができる。
【０１８１】
この場合、連結バー３３４の第２ロッド部３３４ｂを手で掴んで膝ボトム３２０側に引っ張るだけで膝アーム３２２及び足アーム３３２をスライドさせることができる。また、スライドさせる際、膝ボトムベース３２１のピン穴２２１ａに膝アーム３２２の所定のピン穴３２２ａ１（例えば、最右端のピン穴３２２ａ１）を合わせるようにスライドさせる。
【０１８２】
その後、ピン穴３２１ａとピン穴３２２ａ１とにピン３２４を再び差し込むことで、膝ボトムベース３２１と膝アーム３２２とを固定する。
【０１８３】
他方、電動ベッドを利用するユーザの身長が通常よりも高い場合は、図１２Ｃに示すように、膝ボトム３２０のベッド長さ方向の長さを通常（第１の状態）の長さよりも長くする（第３の状態）。
【０１８４】
具体的には、ピン３２４を抜き出して、膝ボトムベース３２１と膝アーム３２２との固定を解除し、ヒンジ１４０で連結された膝アーム３２２及び足アーム３３２を、膝ボトム板３２３及び足ボトム板３３３とともに、足ボトム３３０側（図１２Ｃでは右側）の所定の位置までスライドさせる。これにより、ギャッジ動作の支点となるヒンジ１４０の位置を足ボトム３３０側に移動させることができる。
【０１８５】
この場合、連結バー３３４の第２ロッド部３３４ｂを手で掴んで足ボトム３３０側に引っ張るだけで膝アーム３２２及び足アーム３３２をスライドさせることができる。また、スライドさせる際、膝ボトムベース３２１のピン穴２２１ａに膝アーム３２２の所定のピン穴３２２ａ１（例えば、最左端のピン穴３２２ａ１）を合わせるようにスライドさせる。
【０１８６】
その後、ピン穴３２１ａとピン穴３２２ａ１とにピン３２４を再び差し込むことで、膝ボトムベース３２１と膝アーム３２２とを固定する。
【０１８７】
以上のとおり、図１２Ａ〜図１２Ｃに示すような長さ調整方法によって、膝ボトム３２０のベッド長さ方向の長さを通常（第１の状態）の長さよりも長くした状態（第２の状態）にしたり、通常（第１の状態）の長さよりも短くした状態（第３の状態）にしたりすることができる。
【０１８８】
また、本実施の形態でも、図１２Ａ〜図１２Ｃに示すように、膝ボトム３２０と足ボトム３３０とを合わせたベッド長さ方向の長さＬは、膝アーム３２２及び足アーム３３２のスライド前後において変化しない構造となっている。
【０１８９】
なお、図１２Ａ〜図１２Ｃでは、第１〜第３の３つの状態を示したが、本実施の形態では、膝アーム３２２には５つのピン穴が設けられているとともに足ボトムベース３２１には５本の溝が設けられているので、５段階（５つの状態）で膝ボトム３２０の長さを調整することができる。
【０１９０】
このように構成される本実施の形態における電動ベッドでは、実施の形態１と同様の方法で、背上げ及び背下げのギャッジ動作を行うことができる。この場合、膝ボトム３２０と足ボトム３３０は、図１３に示すようにしてヒンジ１４０を支点として屈曲する。なお、図１３は、本発明の実施の形態３に係る電動ベッドにおけるギャッジ動作時の膝ボトム及び足ボトム（第１の状態）を示す図である。
【０１９１】
以上説明したように、本実施の形態における電動ベッドでも、ヒンジ１４０で連結された膝アーム３２２及び足アーム３３２が連動してベッド長さ方向に移動することができるので、ヒンジ１４０の位置を調整することができる。これにより、ユーザの身長差に応じてヒンジ１４０の位置を調整することによって、膝ボトム３２０及び足ボトム３３０の連結部分の位置とユーザの膝の位置とを合わせることができる。したがって、ユーザの身長に合わせた最適なギャッジ動作を行うことができるので、ユーザは、足の痛みを感じたり身体ずれや圧迫感を感じたりすることがない。
【０１９２】
しかも、本実施の形態でも、膝アーム３２２は、コ字型アームであり、ベッド長さ方向に延在する一対のサイドアーム部３２２ａと、ベッド幅方向に延在し、かつ、一対のサイドアーム部３２２ａの各々に連結されたリンクアーム部３２２ｂとを有しており、さらに、一対のサイドアーム部３２２ａは、膝ボトムベース３２１に接続されている。
【０１９３】
同様に、膝アーム３２２も、コ字型アームであり、ベッド長さ方向に延在する一対のサイドアーム部３３２ａと、ベッド幅方向に延在し、かつ、一対のサイドアーム部３３２ａの各々に連結されたリンクアーム部３３２ｂとを有しており、さらに、一対のサイドアーム部３３２ａは、足ボトムベース３３１に接続されている。
【０１９４】
膝アーム３２２及び足アーム３３２をこのような構成とすることによって、膝アーム３２２及び足アーム３３２を高強度の構造体とすることができる。これにより、膝ボトム３２０及び足ボトム３３０の全体の強度を大きくすることができる。
【０１９５】
さらに、本実施の形態では、膝ボトム板３２３及び足ボトム板３３３が設けられている。これにより、膝ボトム３２０及び足ボトム３３０の全体の強度を一層大きくすることができる。
【０１９６】
以上、本実施の形態に係る電動ベッドによれば、長さを調節することができ、且つ実施の形態１よりも強度が大きいボトムを有するので、さらに機械的強度に優れた電動ベッドを実現することができる。
【０１９７】
また、本実施の形態では、ピン３２４を抜き差しするだけで、膝アーム３２２のベッド長さ方向の長さを調整することができる。これにより、特別な工具を用いることなく、介護者やユーザ等が簡単に膝アーム３２２の長さを調整できる。
【０１９８】
しかも、本実施の形態では、ピン３２４が膝ボトムベース３２１の両サイド部のピン穴３２１ａに挿通されているので、ベッドを利用するユーザが寝たままの状態でピン３２４を抜き差しできる。
【０１９９】
さらに、連結バー３３４における第２ロッド部３３４ｂ（把持部）が、フットボード側に向かって延在する一対の第１ロッド部３３４ａに連結されているので、第２ロッド部３３４ｂをフットボード側に近づけることができる。これにより、ベッドを利用するユーザが寝たままの状態で連結バー３３４を掴むことができる。
【０２００】
このように、ベッドを利用するユーザが寝たままの状態でピン３２４の抜き差しと連結バー３３４の操作を行うことができるので、ユーザが電動ベッドから降りることなく寝たままの状態で膝アーム３２２の長さ調整を行うことができる。
【０２０１】
（その他変形例等）
以上、本発明に係る電動ベッドについて、実施の形態に基づいて説明したが、本発明は、上記実施の形態に限定されるものではない。
【０２０２】
例えば、上記の各実施の形態では、ボトムは、背ボトムと膝ボトムと足ボトムの３つのボトムによって構成したが、これに限らない。具体的には、図１４に示すように、背ボトム１１０と腰ボトム（尻ボトム）１４０と膝ボトム１２０と足ボトム１３０との４つのボトムによって構成されていてもよい。なお、腰ボトム１１２は、ユーザの腰部分に対応する位置に配置される。
【０２０３】
また、上記の各実施の形態では、膝ボトムのベッド長さ方向の長さを５段階で調整できるようにしたが、これに限らず、複数段階で調整できればよい。例えば、膝ボトムのベッド長さ方向の長さを、２〜４段階で調整できるようにしてもよいし、６段階以上で調整できるようにしてもよい。
【０２０４】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０２０５】
１  電動ベッド
１００  ボトム
１２０、２２０、３２０  膝ボトム（第１ボトム）
１２１、２２１、３２１  膝ボトムベース（第１ボトムベース）
１２１ａ１  サイドフレーム（第１サイドフレーム）
１２１ａ２  ボルト穴（第１フレーム穴）
１２２、２２２、３２２  膝アーム（第１アーム）
１２２ａ、１３２ａ、２２２ａ、２３２ａ、３２２ａ、３３２ａ  サイドアーム部
１２２ａ１  ボルト穴（第１アーム穴）
１２２ｂ、１３２ｂ、２２２ｂ、２３２ｂ、３２２ｂ、３３２ｂ  リンクアーム部
１２３  ボルト（第１挿通部材）
１３０、２３０、３３０  足ボトム（第２ボトム）
１３１、２３１、３３１  足ボトムベース（第２ボトムベース）
１３１ａ１  サイドフレーム（第２サイドフレーム）
１３１ａ２  ボルト穴（第２フレーム穴）
１３２、２３２、３３２  足アーム（第２アーム）
１３２ａ１  ボルト穴（第２アーム穴）
１３３  ボルト（第２挿通部材）
１４０  ヒンジ
２２１ａ、３２１ａ  ピン穴（第１ベース穴）
２２３、３２３  膝ボトム板（第１板状部材）
２２４、３２４  ピン（第１挿通部材）
２２３ａ  ピン穴（第１穴）
２３１ａ  ピン穴（第２ベース穴）
２３３、３３３  足ボトム板（第２板状部材）
２３３ａ  ピン穴（第２穴）
２３４  ピン（第２挿通部材）
３２２ａ１  ピン穴（第１アーム穴）
３２４  ピン（挿通部材）
３３１ｃ  溝部
３３４  連結バー
３３４ａ  第１ロッド部
３３４ｂ  第２ロッド部
【図１】
2015202139.tif 000003
【図２】
2015202139.tif 000004
【図３】
2015202139.tif 000005
【図４Ａ】
2015202139.tif 000006
【図４Ｂ】
2015202139.tif 000007
【図４Ｃ】
2015202139.tif 000008
【図５Ａ】
2015202139.tif 000009
【図５Ｂ】
2015202139.tif 000010
【図５Ｃ】
2015202139.tif 000011
【図６】
2015202139.tif 000012
【図７】
2015202139.tif 000013
【図８Ａ】
2015202139.tif 000014
【図８Ｂ】
2015202139.tif 000015
【図８Ｃ】
2015202139.tif 000016
【図９】
2015202139.tif 000017
【図１０】
2015202139.tif 000018
【図１１】
2015202139.tif 000019
【図１２Ａ】
2015202139.tif 000020
【図１２Ｂ】
2015202139.tif 000021
【図１２Ｃ】
2015202139.tif 000022
【図１３】
2015202139.tif 000023
【図１４】
2015202139.tif 000024